(57)【特許請求の範囲】
【請求項１】
管理情報領域と、複数の論理ブロックからなるデータエリアを複数有するユーザデータ領域とを少なくとも備えた円盤状記録媒体と、
情報信号を受信する受信手段と、
上記円盤状記録媒体のユーザデータ領域の各データエリアに上記情報信号を記録する記録頻度を制御して、上記受信手段により受信されている情報信号を、データエリア毎に記録開始論理ブロックから連続して記録し、そのデータエリアにおける全ての論理ブロックに上記情報信号が記録されたとき、再び上記記録開始論理ブロックから上記情報信号をオーバライト記録することで、データエリア間で記録寿命を異なるようにする記録手段とを備える情報記録装置。
【請求項２】
ユーザからの操作命令を入力する操作入力手段を更に備え、
上記ユーザデータ領域は、少なくとも所定の記録頻度を有する第１のデータエリアと、上記第１のデータエリアより記録頻度の少ない第２のデータエリアとからなり、
上記記録手段は、上記操作入力手段からの操作命令に応じて、上記受信手段により受信された情報信号のうち、長期記録用の情報信号を上記第２のデータエリアに記録する請求項１記載の情報記録装置。
【請求項３】
上記記録手段は、上記第１のデータエリアに記録した情報信号の少なくとも一部を、記録モードを変化させて上記第２のデータエリアに記録する請求項２記載の情報記録装置。
【請求項４】
上記記録媒体のユーザデータ領域に記録された情報信号を再生する再生手段をさらに備え、
上記記録手段により情報信号の記録と上記再生手段により情報信号の再生とを同時に行う請求項１記載の情報記録装置。
【請求項５】
上記円盤状記録媒体は、一周回転時間をｒとし、上記記録手段が最内周から最外周まで移動するときのシーク時間をｔとし、シーク時間ｔにおいて回転する角度をθとしたとき、
θ＞ｔ／ｒ×３６０゜
という関係を満たすように記録開始論理ブロックと記録終了論理ブロックとの位相がずらされて位置されている請求項１記載の情報記録装置。
【請求項６】
上記ユーザデータ領域は、操作入力手段からの操作命令に応じて各データエリアを少なくとも上記円盤状記録媒体の外周領域と内周領域とに分割された２つの領域を有し、
上記記録手段は、上記外周領域に外／内周側の記録開始論理ブロックから内／外周側の記録終了論理ブロックに向かって情報信号を記録し、上記内周領域に内／外周側の記録開始論理ブロックから外／内周側の記録終了論理ブロックへと記録する請求項１記載の情報記録装置。
【請求項７】
受信手段により情報信号を受信し、
管理情報領域と、複数の論理ブロックからなるデータエリアを複数有するユーザデータ領域とを少なくとも備えた円盤状記録媒体のユーザデータ領域の各データエリアに上記情報信号を記録する記録頻度を制御して、上記受信手段により受信されている情報信号を、データエリア毎に記録開始論理ブロックから連続して記録し、そのデータエリアにおける全ての論理ブロックに上記情報信号が記録されたとき、再び上記記録開始論理ブロックから上記情報信号をオーバライト記録することで、データエリア間で記録寿命を異なるようにする情報記録方法。
【請求項８】
ユーザからの操作命令に応じて、上記受信手段により受信された情報信号のうち、長期記録用の情報信号を、上記ユーザデータ領域において、所定の記録頻度を有する第１のデータエリアより記録頻度の少ない第２のデータエリアに記録する請求項７記載の情報記録方法。
【請求項９】
記録手段により情報信号の記録と再生手段により情報信号の再生とを同時に行う請求項７記載の情報記録方法。
【発明の詳細な説明】
【０００１】
【発明の属する分野】
本発明は、例えば動画像データ等の情報信号を記録媒体に記録する情報記録装置及び情報記録方法、情報記録再生装置及び情報記録再生方法に関する。
【０００２】
【従来の技術】
例えば、従来のハードディスクドライブ（以下、ＨＤＤと称する。）を制御するパーソナルコンピュータ用のファイルシステムにおいては、本来離散的なテキストデータを扱うことが主眼に置かれていた。このため、このようなファイルシステムにおいては、記録及び再生動作により、論理アドレスが連続でないセクタより構成されるファイルが生じ、記録及び再生を行うことで、ファイルのフラグメンテーションが生じさせることが多い。
【０００３】
【発明が解決しようとする課題】
ところで、例えば音響や動画像等の時間的に連続したＡＶデータをＨＤＤで記録及び再生するときには、データの連続データ転送レートが重要となる。しかし、上述のようなファイルシステムでファイルの記録及び再生を行うと、ファイルのフラグメンテーションが生ずることにより、記録されているセクタ番号等の管理情報を示すオーバーヘッド量が多大となり、記録及び再生を行うのに多大な時間を要し、最低連続データ転送レートを保証することが不可能となる虞がある。このように連続データ転送レートを保証することができないと、本来的には時間的に連続したＡＶデータが時間的に連続して再生できないという不都合を生じかねない。
【０００４】
そこで、本発明は、このような実情に鑑みて提案されたものであって、上述したフラグメンテーションを生じさせずに時間的に連続したＡＶデータなどの情報信号を記録することができる情報記録装置及び情報記録方法を提供することを目的とする。
【０００５】
【課題を解決するための手段】
上述の課題を解決する本発明に係る情報記録装置は、管理情報領域と、複数の論理ブロックからなるデータエリアを複数有するユーザデータ領域とを少なくとも備えた円盤状記録媒体と、情報信号を受信する受信手段と、円盤状記録媒体のユーザデータ領域の各データエリアに情報信号を記録する記録頻度を制御して、受信手段により受信されている情報信号を記録開始論理ブロックから連続して記録し、そのデータエリアにおける全ての論理ブロックに情報信号が記録されたとき、再び記録開始論理ブロックから情報信号をオーバライト記録することで、データエリア間で記録寿命を異なるようにする記録手段とを備える。
【０００６】
このような情報記録装置によれば、円盤状記録媒体の論理ブロックに連続して情報信号を記録手段で記録する。
【０００７】
また、本発明に係る情報記録方法は、受信手段により情報信号を受信し、管理情報領域と、複数の論理ブロックからなるデータエリアを複数有するユーザデータ領域とを少なくとも備えた円盤状記録媒体のユーザデータ領域の各データエリアに情報信号を記録する記録頻度を制御して、受信手段により受信されている情報信号を、データエリア毎に記録開始論理ブロックから連続して記録し、そのデータエリアにおける全ての論理ブロックに情報信号が記録されたとき、再び記録開始論理ブロックから情報信号をオーバライト記録することで、データエリア間で記録寿命を異なるようにする。
【０００８】
このような情報記録方法によれば、円盤状記録媒体の論理ブロックに連続して情報信号を記録する。
【００１３】
【発明の実施の形態】
以下、本発明の実施の形態について図面を参照しながら詳細に説明する。
【００１４】
図１は、本実施の形態に係る情報記録再生装置１の一例を示す構成図である。この図１に示した情報記録再生装置１は、ＭＰＥＧ（Moving Picture Experts Group）方式のデジタルデータを受信するアンテナ２と、例えばＮＴＳＣ（National Television System Committee）方式のアナログ信号を受信するアンテナ３と、アンテナ２，３で受信したデジタルデータ及びアナログデータに信号処理を施す信号処理回路４と、情報を伝達する共通バスであるホストバス５と、信号処理回路４とホストバス５との間の情報の伝送を媒介するインターフェイスバッファ６と、情報が記録される記録媒体を備えたＨＤＤ（Hard Disk Drive）７と、ホストバス５とＨＤＤ７との間の情報の伝送を媒介するいわゆるＡＴＡ（AT Attachment）アダプタ８とを有している。
【００１５】
ホストバス５は、この情報記録再生装置１の各部分の間での情報の伝送がなされるパラレルラインの伝送線である。
【００１６】
インターフェイスバッファ６は、信号処理回路４とホストバス５間でオーディオ及び／又はビジュアルデジタルデータストリーム（以下、単にＡＶデータと称する。）の伝送の媒介をする。例えば、インターフェイスバッファ６は、ＡＶデータの転送速度を変換したり、転送のタイミングを調整したりする。このインターフェイスバッファ６は、内部に２バンクＲＡＭを有している。この２バンクＲＡＭは、交互に切り替えられて情報の転送を調整する２個のＲＡＭから構成されている。
【００１７】
ＨＤＤ７は、入力されるＡＶデータを記録する固定ディスク装置である。ＡＴＡ（AT Attachment）アダプタ５は、ホストバス５とＨＤＤ７との間に介在しＡＶデータをホストバス５のパラレルデータとＨＤＤ７のデータ形式のデータとの間の変換をするものである。
【００１８】
このＨＤＤ７は、内部にＡＶデータを記録する記録媒体を備えて構成される。この記録媒体には、後述するファイルシステムに従って、マルチプレクサ１９で多重化されたＡＶデータが記録される。このＨＤＤ７は、記録媒体として例えば磁気ディスクを搭載しているときには磁気ヘッドを備えて構成されて、当該磁気ディスクに時間的に連続したＡＶデータを記録することとなる。
【００１９】
このように磁気ディスクに連続したＡＶデータを記録するとき、このＨＤＤ７においては、磁気ヘッドを磁気ディスクの外周側から内周側に走査することで磁気ディスクに形成されているトラックに追従させる。そして、このＨＤＤ７では、最外周から最内周までデータを記録したら、再び最外周に磁気ヘッドを移動させてＡＶデータの記録を行う。このとき、一般的なＨＤＤでは、磁気ヘッドが最内周から最外周まで移動する時間及び記録が開始される論理ブロックアドレス（以下、ＬＢＡ：Logical Block Addressと称する。）までの回転待ち時間を介して再び最外周からの記録を行っていた。しかし、このＨＤＤ７では、時間的にＡＶデータの連続性を保証するために、上述の記録開始ＬＢＡまでの回転待ち時間を０とするようにしている。
【００２０】
すなわち、このＨＤＤ７内の磁気ヘッドでは、最外周に配されている記録開始ＬＢＡの位置を計算することで、回転待ち時間を０とする。すなわち、磁気ディスクの一周回転時間をｒとし、磁気ヘッドが最内周から最外周まで移動するときのシーク時間をｔとし、シーク時間ｔに磁気ディスクが回転する角度をスキュー角θとし、セクタ番号をｎとし、一周セクタ数をｎ0としたとき、
θ＞ｔ/ｒ×３６０゜  (1)
ｎ＝（ｔ/ｒ×ｎ0）−α (2)
となる。ここで、式２におけるαは、ＨＤＤ７にＣＰＵ９からの命令が入力されてからＨＤＤ７が当該命令を解釈し、ＨＤＤ７内の各回路にセットするまでに要する時間において回転されるセクタ数である。すなわち、式１によれば、例えばシーク時間ｔを約５ｍｓとし、一周回転時間ｒを約１０ｍｓとしたとき、スキュー角θは約１８０゜となり、記録終了ＬＢＡとは約１８０゜ずらして記録開始ＬＢＡを位置させればよいこととなる。また記録開始ＬＢＡに相当するセクタ番号は、上記式２に所定の数値を代入することにより算出される。従って、このＨＤＤ７によれば、時間的に連続して記録を行うときであっても切れ目のないデータを記録することができる。
【００２１】
また、情報記録再生装置１は、情報を集中して処理する中央処理部であるＣＰＵ９と、揮発性のメモリであるＲＡＭ１０と、不揮発性のメモリであるＲＯＭ１１とを有している。
【００２２】
ＣＰＵ９は、ホストバス５に接続され、データ転送やＨＤＤ７に対する制御等、この情報記録再生装置１における情報記録方法の一連の動作をソフトウェア制御する。この一連の動作を起動するソフトウェアは、例えばＲＯＭ１１に記録され、必要に応じて読み出されて実行される。また、このＣＰＵ９は、ＲＩＳＣ（Reduced Instruction Set Computer）方式を採用したものであり、演算処理速度を向上させるために基本的な命令を簡素化しその個数を少なくした縮小命令セットコンピュータとなっている。
【００２３】
また、このＣＰＵ９には、図示しないキーボード等からなる操作入力部と接続されており、例えばユーザからの操作入力信号が供給される。このＣＰＵ９は、例えばＡＶデータの記録及び再生を命令する操作入力信号が供給されて、当該操作入力信号に応じて情報記録再生装置１の各部を制御動作させる。
【００２４】
ＲＯＭ１１には、後述する制御用プログラムであるファイルシステムが格納されている。このＲＯＭ１１に格納されたファイルシステムは、ＣＰＵ９により読み込まれることとなる。ＣＰＵ９は、このファイルシステムを読み込むことでＨＤＤ７に対する記録再生が制御される。
【００２５】
ＲＡＭ１０は、ホストバス５に接続され、データを一時的に記録される揮発性のメモリである。ＲＯＭ１１は、ホストバス５に接続され、所定のデータやソフトウェアが記録されている不揮発性のメモリである。
【００２６】
また、このＲＡＭ１０には、起動時及び記録再生時においてＨＤＤ７に格納されている後述のルートや、ＴＯＣを示す管理情報が格納される。この管理情報は、起動時及び記録再生時においてＣＰＵ９により随時更新される。
【００２７】
また、信号処理回路４は、アナログ方式のビデオ信号及びオーディオ信号を受信するアンテナ３を介して信号を入力するチューナー１５と、チューナー１５で入力したビデオ信号をデジタルデータに変換するＡ／Ｄ変換回路１６と、Ａ／Ｄ変換回路１６からデジタル方式のビデオ信号が入力されるＮＴＳＣデコーダ１７と、ＮＴＳＣデコーダ１７でベースバンド信号に変換されたビデオ信号を入力するＭＰＥＧ２エンコーダ１８と、デジタル方式のＭＰＥＧ方式のＡＶデータが入力されるマルチプレクサ１９とを備える。
【００２８】
また、この信号処理回路４は、チューナー１５に入力されたオーディオ信号が入力されるＡ／Ｄ変換回路２０と、Ａ／Ｄ変換回路２０でデジタル方式とされたオーディオ信号が入力されるＭＰＥＧ１エンコーダ２１とを備える。
【００２９】
チューナー１５は、アンテナ３で受信した例えばＮＴＳＣ方式の信号が入力される。このチューナー１５は、アンテナ３で受信したビデオ信号及びオーディオ信号を受信するとともに、検波を施す。そして、このチューナー１５は、検波を施したビデオ信号をＡ／Ｄ変換回路１６に出力し、オーディオ信号をＡ／Ｄ変換回路２０に出力する。
【００３０】
Ａ／Ｄ変換回路１６は、ビデオ入力端子又はチューナー１５からのビデオ信号にＡ／Ｄ変換処理を施してビデオデータとする。そして、Ａ／Ｄ変換回路１６は、例えばＮＴＳＣ方式のビデオデータをＮＴＳＣデコーダ１７に出力する。
【００３１】
ＮＴＳＣデコーダ１７には、Ａ／Ｄ変換回路１６からのＮＴＳＣ方式のビデオデータが入力される。このＮＴＳＣデコーダ１７は、入力されたビデオデータに伸長処理を施してベースバンド信号を生成する。そして、このＮＴＳＣデコーダ１７は、スイッチ２２の端子１を介してＭＰＥＧ２エンコーダ１８にベースバンド信号を出力する。
【００３２】
ＭＰＥＧ２エンコーダ１８は、ＮＴＳＣデコーダ１７からのベースバンド信号に圧縮処理を施す。このとき、このＭＰＥＧ２エンコーダは、入力されたベースバンド信号をＭＰＥＧ２方式のデジタルデータとなるように圧縮処理を施す。このＭＰＥＧ２エンコーダ１８は、上述したように、入力されたベースバンド信号に対して記録媒体の論理セクタの整数倍となるようにＣＰＵ９から指定された圧縮レートで符号化処理を施す。すなわち、ＭＰＥＧ２エンコーダ１８は、入力したＧＯＰ（Group Of Picture）及び／又はＩフレームのデータ最大値が記録媒体の論理セクタの整数倍のデータ量となるように圧縮符号化を施す。
【００３３】
また、このＭＰＥＧ２エンコーダ１８は、スイッチ２２の端子２、スイッチ２６の端子２を介してＭＰＥＧ２デコーダ２４からベースバンド信号が入力される。このＭＰＥＧ２エンコーダ１８は、ＭＰＥＧ２デコーダ２４からのベースバンド信号に対しても所定の圧縮レートで符号化を施す。
【００３４】
一方、チューナー１５は、アンテナ３から入力された信号のうち、オーディオ信号をＡ／Ｄ変換回路２０に出力する。Ａ／Ｄ変換回路２０は、入力されたオーディオ信号にＡ／Ｄ変換処理を施してオーディオデータとする。そして、このＡ／Ｄ変換回路２０は、オーディオデータをＭＰＥＧ１エンコーダ２１に出力する。
【００３５】
ＭＰＥＧ１エンコーダ２１は、Ａ／Ｄ変換回路２０からのオーディオデータにＭＰＥＧ１方式で圧縮処理を施して、マルチプレクサ１９に出力する。
【００３６】
マルチプレクサ１９は、ＭＰＥＧ２エンコーダ１８からのビデオデータと、ＭＰＥＧ１エンコーダ２１からのオーディオデータとを多重化処理する。このマルチプレクサ１９は、ビデオデータをＶとし、オーディオデータをＡとすると、例えばＭＰＥＧ信号のＧＯＰの時間単位にＶＡＶＡＶＡ・・・と時間軸の圧縮を行いＡＶデータを作成する。このマルチプレクサ１９は、多重化処理して得たＡＶデータをインターフェイスバッファ６に出力する。
【００３７】
また、このマルチプレクサ１９は、インターフェイスバッファ６からＨＤＤ７内の記録媒体に記録されたＡＶデータが入力される。このマルチプレクサ１９は、インターフェイスバッファ６から入力されたＡＶデータをビデオデータとオーディオデータとに分割する。このマルチプレクサ１９は、分割して得たビデオデータをスイッチ３４の端子２を介してマルチプレクサ３２に出力するとともに、スイッチ２３の端子１を介してＭＰＥＧ２デコーダ２４に出力する。また、このマルチプレクサ３２は、分割して得たオーディオデータをディレイ回路３３を介してマルチプレクサ３２に出力するとともに、ＭＰＥＧ１デコーダ２５に出力する。
【００３８】
また、この信号処理回路４は、ＭＰＥＧ方式のデジタルデータを受信するアンテナ２と、ＳＴＢ（セットトップボックス）３０と、デジタルＩ／Ｆ回路３１と、マルチプレクサ３２と、ディレイ回路３３とを備える。
【００３９】
アンテナ２は、上述と同様に、例えばＭＰＥＧ方式のデジタルデータを入力する。このアンテナ２は、受信したデジタルデータをＲＦ信号としてＳＴＢ３０に出力する。
【００４０】
ＳＴＢ３０は、アンテナ２からのデジタルデータとしてフロントエンドで受信、検波する。そして、このＳＴＢ３０は、例えばスクランブル等がかけられたデジタルデータのスクランブルを解除してデジタルＩ／Ｆ回路３１に出力する。
【００４１】
また、このＳＴＢ３０は、デジタルＩ／Ｆ回路３１からデジタルデータが入力される。このＳＴＢ３０には、ＭＰＥＧデコーダが内蔵されている。このＳＴＢ３０は、このＭＰＥＧデコーダを用いてデジタルＩ／Ｆ回路３１からのデジタルデータにデコード処理を施し、例えば圧縮されたビデオデータ及びオーディオデータを伸長して映像信号と音響信号とに変換する。
【００４２】
デジタルＩ／Ｆ回路３１は、物理層／リンク層処理回路を有しており、ＳＴＢ３０からのデジタルデータに変換処理等の信号処理を施してマルチプレクサ３２に出力する。
【００４３】
また、このデジタルＩ／Ｆ回路３１には、マルチプレクサ３２からビデオデータとオーディオデータとが多重化されてなるデジタルデータが入力される。このデジタルＩ／Ｆ回路３１は、このデジタルデータをＳＴＢ３０に出力する。
【００４４】
マルチプレクサ３２は、デジタルＩ／Ｆ回路３１からのデジタルデータをビデオデータとオーディオデータとに分割する分割処理を施す。このマルチプレクサ３２は、分割処理して得たビデオデータをスイッチ３４の端子１、スイッチ２３の端子２を介してＭＰＥＧ２デコーダ２４に出力する。このマルチプレクサ３２は、オーディオデータをディレイ回路３３に出力する。
【００４５】
また、このマルチプレクサ３２は、マルチプレクサ１９からビデオデータがスイッチ３４を介して入力されるとともに、オーディオデータがディレイ回路３３を介して入力される。そして、このマルチプレクサ３２は、入力されたビデオデータとオーディオデータとを多重化してデジタルＩ／Ｆ回路３１に出力する。
【００４６】
ディレイ回路３３は、マルチプレクサ３２からのオーディオデータにディレイ調整を施す。このディレイ回路３３は、入力されたオーディオデータとビデオデータとの時間差を調整するようにディレイ処理を施して、マルチプレクサ１９に出力する。
【００４７】
また、このディレイ回路３３は、マルチプレクサ１９で分割されたビデオデータとオーディオデータのうち、オーディオデータのみが入力される。このディレイ回路３３は、ビデオデータとのディレイ調整を行って、マルチプレクサ３２にオーディオデータを出力する。
【００４８】
また、この信号処理回路４は、ビデオデータがスイッチ２３の端子２を介して入力されるＭＰＥＧ２デコーダ２４と、マルチプレクサ１９で分割して得たオーディオデータが入力されるＭＰＥＧ１デコーダ２５と、ＭＰＥＧ２デコーダ２４でデコードされたビデオデータがスイッチ２６の端子１を介して入力されるＮＴＳＣエンコーダ２７と、ＮＴＳＣエンコーダ２７で符号化されたデータが入力されるＤ／Ａ変換回路２８と、ＭＰＥＧ１デコーダ２５でデコードされたオーディオデータが入力されるＤ／Ａ変換回路２９とを備える。
【００４９】
ＭＰＥＧ２デコーダ２４は、ＨＤＤ７に記録されたＡＶデータをＣＰＵ９のデータ転送ソフトウェアにより読出して、ＡＴＡアダプタ８，ホストバス５，インターフェイスバッファ６を介してマルチプレクサ１９で分割して得たビデオデータがスイッチ２３の端子１を介して入力される。このＭＰＥＧ２デコーダ２４は、圧縮されて入力されたビデオデータに伸長処理を施す。また、このＭＰＥＧ２デコーダ２４は、スイッチ２３の端子２を介してマルチプレクサ３２からビデオデータが入力される。このＭＰＥＧ２デコーダ２４は、入力されたビデオデータに伸長処理を施したビデオデータをスイッチ２６に出力する。
【００５０】
ここで、スイッチ２３は、マルチプレクサ３２からのビデオデータをＭＰＥＧ２デコーダ２４に入力するときに端子２と接続され、マルチプレクサ１９からのビデオデータをＭＰＥＧ２デコーダ２４に入力するときに端子１と接続されるように制御される。
【００５１】
また、スイッチ２６は、ＭＰＥＧ２デコーダ２４からのビデオデータをスイッチ２２に出力するときには端子２と接続され、ＭＰＥＧ２デコーダ２４からのビデオデータをＮＴＳＣエンコーダ２７に出力するときには端子１と接続されるように制御される。
【００５２】
ＮＴＳＣエンコーダ２７は、ＭＰＥＧ２デコーダ２４でデコードされたビデオデータがスイッチ２６の端子１を介して入力される。このＮＴＳＣエンコーダ２７は、入力されたビデオデータにＮＴＳＣ方式で圧縮処理を施してＤ／Ａ変換回路２８に出力する。
【００５３】
Ｄ／Ａ変換回路２８は、ＮＴＳＣエンコーダ２７からのビデオデータにＤ／Ａ変換処理を施してビデオ信号とする。そして、このＤ／Ａ変換回路２８は、ビデオ信号をビデオ出力端子に出力する。
【００５４】
ＭＰＥＧ１デコーダ２５には、マルチプレクサ１９から分割して得たオーディオデータが入力される。このＭＰＥＧ１デコーダ２５は、入力したオーディオデータに伸長処理を施す。そして、このＭＰＥＧ１デコーダ２５は、伸長処理を施したオーディオデータをＤ／Ａ変換回路２９に出力する。
【００５５】
Ｄ／Ａ変換回路２９は、ＭＰＥＧ１デコーダ２５からのオーディオデータにＤ／Ａ変換処理を施してオーディオ信号とする。そして、このＤ／Ａ変換回路２９は、オーディオ信号をオーディオ出力端子に出力する。
【００５６】
このような信号処理回路４では、ＨＤＤ７内の記録媒体にアンテナ２で受信したＭＰＥＧ方式のデジタルデータを記録するときには、先ず、デジタルデータをＳＴＢ３０、デジタルＩ／Ｆ回路３１を介してマルチプレクサ３２に出力する。
【００５７】
マルチプレクサ３２では、入力されたデジタルデータをビデオデータとオーディオデータとに分割処理する。そして、このマルチプレクサ３２では、オーディオデータをディレイ回路３３に出力する。
【００５８】
また、このマルチプレクサ３２では、ビデオデータをスイッチ３４、スイッチ２３を介してＭＰＥＧ２デコーダ２４に出力する。このとき、スイッチ３４は端子１と接続され、スイッチ２３は端子２に接続されるように制御されている。
【００５９】
ＭＰＥＧ２デコーダ２４では、圧縮されたビデオデータに伸長処理を施してスイッチ２６、スイッチ２２を介してＭＰＥＧ２エンコーダ１８に出力する。このとき、スイッチ２６は端子２と接続され、スイッチ２２は端子２と接続するように制御されている。
【００６０】
ＭＰＥＧ２エンコーダ１８では、所定の圧縮レートで入力されたビデオデータに圧縮処理を施す。このとき、ＭＰＥＧ２エンコーダ１８では、ＣＰＵ９からの指定された圧縮レートに従い、ＨＤＤ７内の記録媒体の論理セクタの整数倍となるような圧縮レートで、ＧＯＰ及び／又はＩピクチャーの圧縮処理を行う。
【００６１】
ディレイ回路３３でディレイ処理が施されたオーディオデータがタイミング制御されてマルチプレクサ１９に出力されるとともに、ＭＰＥＧ２エンコーダ１８からのビデオデータがマルチプレクサ１９に出力される。
【００６２】
マルチプレクサ１９では、入力されたオーディオデータとビデオデータとに多重化処理を施してＡＶデータを作成し、インターフェイスバッファ６、ホストバス５、ＡＴＡアダプタ８を介してＨＤＤ７内の記録媒体に記録を行う。したがって、この記録再生装置１では、記録媒体の論理セクタ単位でＭＰＥＧデータが記録されることとなる。
【００６３】
また、この情報記録再生装置１では、ＨＤＤ７内の記録媒体にアンテナ３で受信したＮＴＳＣ方式のアナログ信号を記録するときには、先ず、ＮＴＳＣ方式のアナログ信号をチューナー１５に出力する。
【００６４】
チューナー１５では、アンテナ３からのアナログ信号を検波してビデオ信号をＡ／Ｄ変換回路１６に出力するとともにオーディオ信号をＡ／Ｄ変換回路２０に出力する。このとき、Ａ／Ｄ変換回路１６では、ビデオ入力端子からビデオ信号を入力してもよく、Ａ／Ｄ変換回路２０ではオーディオ入力端子からオーディオ信号を入力しても良い。
【００６５】
Ａ／Ｄ変換回路１６では、入力されたビデオ信号にＡ／Ｄ変換処理を施すことによってビデオデータとし、ＮＴＳＣデコーダ１７に出力する。
【００６６】
ＮＴＳＣデコーダ１７では、Ａ／Ｄ変換回路１６からのビデオデータに伸長処理を施して、ビデオデータをベースバンド信号としてＭＰＥＧ２エンコーダ１８に出力する。このとき、スイッチ２２は、端子１に接続するように制御される。
【００６７】
ＭＰＥＧ２エンコーダ１８では、スイッチ２２を介してベースバンド信号が入力される。このＭＰＥＧ２エンコーダ１８では、入力したベースバンド信号をＣＰＵ９から指定された圧縮レートでＭＰＥＧデータとするようにエンコードしてＭＰＥＧ２方式のビデオデータとする。そして、このＭＰＥＧ２エンコーダ１８では、ＨＤＤ７内の記録媒体の論理セクタの整数倍でＧＯＰ及び／又はＩフレームが圧縮されるようにエンコードを行う。そして、このＭＰＥＧ２エンコーダ１８では、ビデオデータをマルチプレクサ１９に出力する。
【００６８】
一方、チューナー１５からオーディオ信号が入力されたＡ／Ｄ変換回路２０では、オーディオ信号にＡ／Ｄ変換処理を施すことでオーディオデータとしてＭＰＥＧ１エンコーダ２１に出力する。
【００６９】
そして、ＭＰＥＧ１エンコーダ２１では、Ａ／Ｄ変換回路２０からのオーディオデータにＭＰＥＧ１方式でエンコードを施してマルチプレクサ１９に出力する。
【００７０】
そして、マルチプレクサ１９では、ＭＰＥＧ２エンコーダ１８から入力されたビデオデータとＭＰＥＧ１エンコーダ２１から入力されたオーディオデータとを多重化処理してＡＶデータを生成する。
【００７１】
マルチプレクサ１９では、生成したＡＶデータをインターフェイスバッファ６、ホストバス５、ＡＴＡアダプタ８を介してＨＤＤ７内の記録媒体に記録する。したがって、この記録再生装置１では、記録媒体の論理セクタ単位でＭＰＥＧ方式のＡＶデータが記録されることとなる。
【００７２】
記録再生装置１は、ＨＤＤ７内の記録媒体に記録されたＡＶデータを再生するときには、先ず、ＣＰＵ９により起動されるデータ転送ソフトウェアにより記録媒体の論理セクタ単位でＨＤＤ７に格納されたＡＶデータを読み出す。このとき、ＣＰＵ９では、ソフトウェア制御により、例えば種々の変速再生モードでＨＤＤ７に格納されているＡＶデータを読出してもよい。
【００７３】
この記録再生装置１では、ＨＤＤ７から読み出したＡＶデータを、ＡＴＡアダプタ８，ホストバス５，インターフェイスバッファ６を介してマルチプレクサ１９に入力する。そして、このマルチプレクサ１９では、入力されたＡＶデータに分割処理を施してビデオデータとオーディオデータとする。
【００７４】
そして、この信号処理回路４では、記録媒体に記録されたＡＶデータをデジタルデータとして再生するときには、ビデオデータをマルチプレクサ１９からスイッチ３４を介してマルチプレクサ３２に出力するとともに、オーディオデータをディレイ回路３３でディレイが調整されてマルチプレクサ３２に出力する。
【００７５】
このマルチプレクサ３２では、入力されたオーディオデータとビデオデータとを多重化してデジタルＩ／Ｆ回路３１に出力する。そして、このオーディオデータとビデオデータとは、ＳＴＢ３０に入力され、このＳＴＢ３０内のＭＰＥＧデコーダで音声信号、映像信号とされ、例えばＣＰＵ９のソフトウェア制御により変速再生、シームレス再生、ノンリニアエディト再生がなされる。
【００７６】
一方、この信号処理回路４で記録媒体に記録されたＡＶデータをアナログ信号として再生するときには、マルチプレクサ１９からビデオデータをスイッチ２３の端子１を介してＭＰＥＧ２デコーダ２４に出力する。
【００７７】
次に、ＭＰＥＧ２デコーダ２４では、マルチプレクサ１９からのビデオデータにデコード処理を施してスイッチ２６の端子１を介してＮＴＳＣエンコーダ２７に出力する。
【００７８】
ＮＴＳＣエンコーダ２７では、ＭＰＥＧ２デコーダ２４からのデジタルデータをＮＴＳＣ方式のビデオデータに変換する。そして、このＮＴＳＣエンコーダ２７は、ＮＴＳＣ方式のビデオデータをＤ／Ａ変換回路２８に出力する。
【００７９】
Ｄ／Ａ変換回路２８では、ＮＴＳＣエンコーダ２７からのビデオデータにＤ／Ａ変換処理を施してＮＴＳＣ方式のビデオ信号としてビデオ出力端子に出力する。
【００８０】
また、マルチプレクサ１９は、オーディオデータをＭＰＥＧ１デコーダ２５に出力する。このＭＰＥＧ１デコーダ２５では、マルチプレクサ１９からのオーディオデータにデコード処理を施してＤ／Ａ変換回路２９に出力する。
【００８１】
Ｄ／Ａ変換回路２９では、ＭＰＥＧ１デコーダ２５からのオーディオ信号にＤ／Ａ変換処理を施してオーディオ出力端子に出力する。
【００８２】
したがって、この情報記録再生装置１は、上述のように、ＭＰＥＧ方式で圧縮されたデジタルデータを記録するときにはＭＰＥＧ２デコーダ２４でデコードして、ＭＰＥＧ２エンコーダ１８で所定の圧縮レートでハードディスクの論理セクタの整数倍となるようにエンコードして記録し、ＮＴＳＣ方式の信号が入力されたときにはＭＰＥＧ２エンコーダ１８でエンコードして記録するので、記録されたデジタルデータの再生を行うときに例えばデータ転送ソフトウェアを用いてハードディスクのアドレス情報を指定するだけで記録されたデジタルデータの再生を行うことができ、容易にハードディスクにアクセスすることができる。したがって、このような情報記録再生装置１では、例えば読出し速度を可変として再生を行うことが容易となり、様々な再生方式を採用することができる。
【００８３】
なお、上述した情報記録再生装置１においては、ＭＰＥＧ２エンコーダ１８で圧縮処理を行うときにハードディスクの論理セクタの整数倍となるように圧縮を行う一例について説明したが、ＭＰＥＧ２エンコーダ１８は複数の固定レートで圧縮処理を行ってもよい。すなわち、このＭＰＥＧ２エンコーダ１８は、圧縮してハードディスクに記録したＡＶデータを編集用として使用するときには８Ｍｂｐｓ，ＳＰ（Standard Play）として使用するときには４Ｍｂｐｓ，ＬＰ（Long Play）として使用するときには２Ｍｂｐｓとなるように圧縮処理を行っても良い。このとき、情報記録再生装置１でハードディスクに記録されたＡＶデータの再生を行うときには、例えばＣＰＵ９内によってデータ転送ソフトウェアの制御を行うことにより、読み込む容量を変化させて再生を行うことにより、上述と同様に再生を行うことができる。
【００８４】
つぎに、ＲＯＭ１１に格納されているファイルシステムについて説明する。図２にこのファイルシステム４０の構成例を示す。このファイルシステム４０は、先頭のＬＢＡ０から最後尾のＬＢＡ Ｎまでで約１４ＧＢの容量が情報領域（Infoimation area）となって構成されている。
【００８５】
このファイルシステム４０は、情報領域が、リードイン領域と、第１のシステム領域と、ユーザデータ領域と、第２のシステム領域と、バックアップ領域とから構成されてなる。
【００８６】
リードイン領域は、先頭のＬＢＡ０からの２セクタからなっている。このリードイン領域は、ルートエリアからなっている。このルートエリアは、図３に示すように、ＴＯＣ（Table of contents）エリアの開始ＬＢＡと、欠陥リストエリアの開始ＬＢＡと、ユーザデータ領域の開始ＬＢＡと、バックアップ領域の開始ＬＢＡを示す情報等が格納されている。また、このルートエリアには、ユーザデータ領域のＡＶデータエリアの開始ＬＢＡ（以下、記録開始ＬＢＡと称する。）、メモデータエリアの開始ＬＢＡ、オーディオデータエリアの開始ＬＢＡを示す情報も格納されている。このように構成されることで、このルートエリアには、ファイルシステム４０の全体の構成を示す分割位置情報が格納されている。
【００８７】
このルートエリアは、ルート１とルート２とからなり、障害対策として、それぞれに同じ内容が記述される。
【００８８】
このルートエリアの最後尾には、ＡＰcountが格納されている。このＡＰcountは、ルートエリアが書き換えられる毎にインクリメントされるデータである。このＡＰcountは、リードイン領域と、システム領域とを区分する位置に配されている。
【００８９】
第１のシステムエリアは、図２に示すように、１５３４セクタからなるＴＯＣエリアと、２５６０セクタからなる欠陥リストエリアとからなる。ＴＯＣエリアには、ユーザデータ領域に記録されるＡＶデータの管理情報が格納されている。また、欠陥リストエリアには、ユーザデータ領域に生ずる２次欠陥を管理するテーブルが格納されている。
【００９０】
ＴＯＣエリアは、例えばＭＤ（Ｍｉｎｉ Ｄｉｓｋ）とほぼ同様の構成とすることができ、動画像データに用いられるＰＴＯＣ０〜２と、オーディオデータに用いられるＰＴＯＣ０〜２と、動画像用ＳＴＯＣと、オーディオ用ＳＴＯＣと、ＭＴＯＣと、ＴＯＣの予約領域であるＴＯＣreservedとから構成されている。
【００９１】
このＴＯＣエリアは、図４に示すように、先頭のＬＢＡにＡＰcountが格納され、このＡＰcountの後方にユーザデータ領域に格納される各情報に関する分割位置情報及び記録モード情報が格納されている。この記録モード情報は、例えば圧縮方式、当該圧縮方式における圧縮レート等を示す情報である。
【００９２】
このＴＯＣエリアには、ユーザデータ領域に格納される各情報毎に４ｂｙｔｅの開始ＬＢＡを示すと終了ＬＢＡを示す分割位置情報と、１ｂｙｔｅからなる記録モード情報とが格納されている。
【００９３】
欠陥リストエリアは、図５に示すように、先頭のＬＢＡにＡＰcountが格納され、このＡＰcountの後方に２次欠陥を管理するテーブルが格納されている。
【００９４】
ユーザデータ領域は、図２に示すように、２７２４９５４２セクタからなり、ＡＶデータエリアと、メモデータエリアと、オーディオデータエリアとから構成されている。このユーザデータ領域のそれぞれのエリアのサイズは、それぞれ上述のルートエリアに格納された分割位置情報に対応している。
【００９５】
また、このユーザデータ領域は、例えば円盤状記録媒体において、外周側からＡＶデータエリア、メモデータエリア、オーディオデータエリアの順に配される。そして、これらＡＶデータエリア、メモデータエリア、オーディオデータエリアは、それぞれの先頭のＬＢＡを示すアドレスがルートエリアに記録される。
【００９６】
ＡＶデータエリアには、圧縮されたＡＶデータが記録される。このＡＶデータエリアに記録されるデータとしては、ＭＰＥＧ２圧縮方式で圧縮処理された動画像データや、Ｗａｖｅｌｅｔ圧縮方式で圧縮処理されたデータが記録される。また、このＡＶデータエリアには、ＭＰＥＧ２圧縮方式における圧縮レートが例えば８Ｍｂｐｓ，６Ｍｂｐｓ，４Ｍｂｐｓ，２Ｍｂｐｓとなるような各記録モードで記録される。一方、Ｗａｖｅｌｅｔ圧縮方式においては、圧縮レートが例えば８Ｍｂｐｓ，６Ｍｂｐｓとなるような各記録モードで記録される。
【００９７】
ＡＶデータエリアは、主として動画像データ及び当該動画像データに付随するオーディオデータ等が当該エリアの記録開始ＬＢＡから時間的に連続して記録される。このＡＶデータエリアは、記録開始ＬＢＡから順次データが記録されて全エリアにＡＶデータが記録されたときには再び記録開始ＬＢＡからＡＶデータがオーバライト記録される、いわゆるリングストレージ構造となされている。また、このＡＶデータエリアに記録されたＡＶデータを再生するときには、時間的に連続して再生がなされる。
【００９８】
このＡＶデータエリアは、図６に示すようなＡＶクラスタを記録単位として動画像データ、オーディオデータが記録される。このＡＶクラスタは、シーケンス層の開始同期コードを示すＳＨ（Sequence Header Code），ＧＯＰ（Group of Picture），ＳＥ（Sequence End Code）とからなるビデオクラスタと、オーディオクラスタとからなる。
【００９９】
このＡＶデータエリアのビデオクラスタ及びオーディオクラスタは、いずれもセクタ単位となるように、圧縮レートがＣＰＵ９により選択されて圧縮処理がなされ、ＨＤＤ７内の記録媒体に記録される。このＡＶデータエリアは、圧縮レートが選択されることで、２のｎ乗セクタとなされる。
【０１００】
ＧＯＰは、フレーム内予測を用いて符号化したＩピクチャ、フレーム間順方向予測を用いて符号化したＰピクチャ、双方向予測を用いて符号化したＢピクチャからなる。また、本実施の形態においては、ＧＯＰのパラメータをＭ＝３，Ｎ＝１５としている。すなわち、本実施の形態においては、１つのＧＯＰが１５ピクチャから構成され、Ｉピクチャ又はＰピクチャの周期が３であることを示す。ここで、Ｉピクチャは最大のサイズが固定容量となされており、ＧＯＰのサイズも固定容量となされている。
【０１０１】
オーディオクラスタは、ＧＯＰに対応するオーディオデータが格納される。このオーディオデータは、MPEG Audio方式又はATRAC方式で圧縮されて記録される。オーディオクラスタは、それぞれ１ＧＯＰに対応して固定サイズとされる。本実施の形態においては、このオーディオクラスタは、MPEG Audio方式で圧縮されたときには２４セクタからなる12.288ｋＢ又はＡＴＲＡＣ方式で圧縮されたときには３６セクタからなる18.432ｋＢとなるように圧縮処理がなされる。そして、ビデオクラスタは、ＡＶクラスタ全体での容量を固定とするために、オーディオクラスタの容量が変化することに対応して圧縮レートを変化させて圧縮処理を行う。
【０１０２】
このＡＶデータエリアは、記録モードに応じた圧縮レートによりサイズが変化されてＨＤＤ７に記録される。このＡＶデータエリアは、例えばＭＰＥＧ２方式の圧縮レートを8.184／8.086Ｍｂｐｓ（Edit Mode）としたときには、図７（ａ）に示すように、全体として524.288ｋＢ（1024sectors），Ｉピクチャが124.928ｋＢ，ＧＯＰが512ｋＢ／524.288ｋＢとされる。
また、ＡＶデータエリアは、例えばＭＰＥＧ２方式の圧縮レートを6.089／5.991Ｍｂｐｓ（HP Mode）としたときには、図７（ｂ）に示すように、全体として393.216ｋＢ（768sectors），Ｉピクチャが104.448ｋＢ，ＧＯＰが380.928ｋＢ／374.784ｋＢとされる。
【０１０３】
また、ＡＶデータエリアは、例えばＭＰＥＧ２方式の圧縮レートを3.994／3.895Ｍｂｐｓ（SP Mode）としたときには、図７（ｃ）に示すように、全体として262.144ｋＢ（512sectors），Ｉピクチャが83.968ｋＢ，ＧＯＰが249.856ｋＢ／243.712ｋＢとされる。
【０１０４】
また、ＡＶデータエリアは、例えばＭＰＥＧ２方式の圧縮レートを1.899／1.800Ｍｂｐｓ（LP Mode（HHR））としたときには、図７（ｄ）に示すように、全体として131.072ｋＢ（256sectors），Ｉピクチャが43.008ｋＢ，ＧＯＰが118.784ｋＢ／112.640ｋＢとされる。
【０１０５】
メモデータエリアは、上述のＡＶデータエリアに記録されたＡＶデータのうち、例えばユーザからの操作入力信号により選択された特定のＡＶデータのみが記録される。なお、このメモデータエリアの記録フォーマット等は、ＡＶデータエリアと同様であり、時間的に連続して記録される、リングストレージ構造となされている。また、メモデータエリアは、ＡＶデータエリアよりも容量が小さくなされている。
【０１０６】
オーディオデータエリアは、例えばオーディオデータ、静止画像データが格納される。このオーディオデータは、上述のＡＶデータエリア、メモデータエリアとは異なり、時間的に連続して記録されず、ランダムアクセスにより記録及び／又は再生される。
【０１０７】
このオーディオデータエリアに格納されるオーディオデータの圧縮方式として、ATRAC方式を用いた一例を図８に示す。このオーディオデータエリアに記録されるオーディオデータは、サウンドグループと称される単位で圧縮／伸長処理がなされ、４８４バイトのデータとされて記録される。また、ＨＤＤ７には１セクタを５１２バイトとし、１単位として記録されるため、本実施の形態においては４２４バイトと５１２バイトの最小公倍数を記録単位として記録される。そして、本実施の形態においては、４２４バイトと５１２バイトの最小公倍数が２７１３６であり、オーディオエリアは、５３セクタ、６４サウンドグループからなる２７．１３６ｋＢで構成される。
【０１０８】
また、オーディオデータに格納される静止画像データは、ＪＰＥＧ（Joint Photographic coding Experts Group）方式で圧縮処理されており、図９に示すように、２１２セクタからなり、４オーディオクラスタが静止画像クラスタとして格納される。この静止画像クラスタは、記録単位が27.136ｋＢとなっている。
【０１０９】
第２のシステム領域は、予約領域として構成され、２０４８０セクタからなるＣＧデータエリアと、システムリザーブエリアとからなる。
【０１１０】
バックアップ領域は、図２に示すように、上述のリードイン領域と第１のシステム領域とを同様の内容となっている。このバックアップ領域は、リードイン領域及びシステム領域の内容をそのままコピーすることで、例えば障害対策等に利用される。
【０１１１】
また、このバックアップ領域は、リードイン領域及びシステム領域とは異なり、ルートエリアが最後尾のＬＢＡとなるように格納されている。すなわち、このバックアップ領域では、例えばＬＢＡ０からＬＢＡＮまでの容量を固定とすることにより、例えばリードイン領域が障害により再生できなくても、バックアップ領域にアクセスすることができ、記録媒体内の分割位置情報を再生することができる。
【０１１２】
ＣＰＵ９は、このようなファイルシステム４０に準じてＨＤＤ７内の記録媒体にＡＶデータ等を格納する。また、このＣＰＵ９は、例えばユーザからの操作入力信号に応じて上述のＡＶデータエリアを分割する。このとき、ＡＴＡアダプタ８を介して操作入力信号に応じてＡＶデータエリア及びメモデータエリアを分割する。なお、ＣＰＵ９により分割されたＡＶデータエリア及びメモデータエリアの記録フォーマットは、上述と同様にリングストレージ構造となっており、先頭のＬＢＡから順次データが記録されて全エリアにＡＶデータが記録されたときには再び先頭のＬＢＡからＡＶデータがオーバライト記録される。また、このＡＶデータエリアに記録されたＡＶデータを再生するときには、時間的に連続して再生がなされる。
【０１１３】
従って、この情報記録再生装置１においては、ユーザからの操作入力信号に応じて複数個のメモデータエリアを設けてもよいこととなる。このように複数のリングを設けることで、記録頻度の階層化を図ることができる。
【０１１４】
すなわち、この情報記録再生装置１の使用の態様としては、アナログ放送及びディジタル放送番組を、常に記録するためのエリアとしてＡＶデータエリアを設定する。このＡＶデータエリアは、上述したようにリングストレージ構造となっているので、設定された記録容量と記録するＡＶデータの圧縮レートにより決定され、ある一定の時間後にオーバーライト記録される。例えば、ＡＶデータエリアの容量が７時間分のＡＶデータ量である場合には、７時間後にオーバーライト記録されてしまう。このようにリングストレージ構造を有するＡＶデータエリアにおいては、ユーザが残しておきたいＡＶデータも７時間経過後に消去されてしまうが、ＡＶデータエリアと別個にメモデータエリアを設けることでこの不都合を回避する。すなわち、この情報記録再生装置１においては、ＡＶデータエリアに記録したＡＶデータの内、残しておきたいＡＶデータのみをメモデータエリアに記録することで、ＡＶデータエリアよりも比較的長期に記録しておくことができる。これは、メモデータエリアに対する記録頻度をＡＶデータエリアに対する記録頻度よりも著しく少なくできるためである。
【０１１５】
例えば、この情報記録再生装置１において、ＡＶデータエリアと、ＡＶデータエリアよりも容量が小さい第１のメモデータエリアと、第１のメモデータエリアよりも容量が小さい第２のメモデータエリアとがユーザからの操作入力信号により設定され、ＡＶデータエリアのうちの少なくとも一部のＡＶデータを記録するような操作入力信号が供給されたとき、ＣＰＵ９は、第１のメモデータエリアに当該ＡＶデータを記録する。そして、第１のメモデータエリアに記録されたＡＶデータのうち少なくとも一部のＡＶデータを記録するような操作入力信号が供給されたときには、ＣＰＵ９は、第２のメモデータエリアに当該ＡＶデータを記録する。
【０１１６】
従って、このように階層的にメモデータエリアを設定することで、第２のメモデータエリアに対する記録頻度を第１のメモデータに対する記録頻度よりも低くすることができる。
【０１１７】
また、このＣＰＵ９は、ＡＴＡコマンドを生成出力してマルチプレクサ１９からのＡＶデータをＨＤＤ７に記録するときに、ＭＰＥＧ２エンコーダ２４に制御信号を出力して圧縮レートを制御する。この結果、ＨＤＤ７に記録されるＡＶデータは、指定した圧縮レートで圧縮符号化される。このとき、圧縮されたＡＶデータは、上述したように、ＧＯＰ（Group Of Picture）及び／又はＩフレームのデータ最大値がＨＤＤ７の記録媒体の論理セクタの整数倍のデータ量となされる。この圧縮レートは、例えばユーザからの操作入力信号で指定される記録モードに応じて決定される。
【０１１８】
また、このＣＰＵ９は、Ｎ台のＨＤＤ７を備えるときには、ユーザからの操作入力信号に応じてＡＶデータエリア、メモデータエリアの容量をＮ倍としてもよい。このように情報記録再生装置１においては、ＨＤＤ７が一台である場合に限られず、複数台のＨＤＤ７を備える場合であっても、時間的に連続してＡＶデータを記録することができる。例えばこの情報記録再生装置１においては、図１０に示すように、２台のＨＤＤ７ａ，７ｂを備えているときには、ＡＶデータエリア７ｃ、メモデータエリア７ｄの容量を２倍とすることができる。
【０１１９】
また、上述のようにＮ台のＨＤＤ７を備える情報記録再生装置１においては、操作入力信号に応じてメモデータエリアの数をＮ倍としてもよい。このようにメモデータエリアの数をＮ倍とすることにより、ファイルシステムの階層構造をより深くすることができる。
【０１２０】
さらに、この情報記録再生装置１においては、ＡＶデータエリアを記録媒体の内周領域と外周領域とに区分して、１枚のＨＤＤ７内で８字状に連続記録及び再生を行うこともできる。すなわち、このＨＤＤ７においては、先ず、外周領域に外周側の記録開始ＬＢＡから内周側の記録終了ＬＢＡに向かってＡＶデータを記録し、内周領域に内周側の記録開始ＬＢＡから外周側の記録終了ＬＢＡへと記録して、再び外周領域の外周側から内周側のＬＢＡに記録することで、８字状に記録を行うことができる。このように８字状に記録を行うことで、この情報記録再生装置１においては、例えば磁気ヘッド等のシーク時間を少なくすることができ、切れ目なく時間的に連続してＡＶデータを記録することができる。
【０１２１】
つぎに、このように構成された情報記録再生装置１の動作の一例について説明する。
【０１２２】
この情報記録再生装置１は、先ず、電源が供給されると、図１１に示すような初期動作を開始する。すなわち、この情報記録再生装置１において、ＣＰＵ９は、ステップＳＴ１１においてＨＤＤ７のリードイン領域におけるルートエリアに格納された分割位置情報とともにＡＰcountを読み込むように制御する。
【０１２３】
また、ＣＰＵ９は、先頭のＬＢＡ０，１からルートエリアの内容を読み込むとともに、最後尾のＬＢＡから再生することでバックアップ領域におけるルートエリアの内容を読み込むように制御を行いステップＳＴ１２の更新処理に進み、この更新処理を経てステップＳＴ１３に進む。なお、この更新処理は、後述する。
【０１２４】
ステップＳＴ１３において、ＣＰＵ９では、上述の更新処理で選択したルートエリアに格納された分割位置情報に基づいてＴＯＣエリア、欠陥リストエリア及びバックアップ領域のアドレスを求めて、ステップＳＴ１４に進む。
【０１２５】
ステップＳＴ１４においては、上述のステップＳＴ１３で求めたシステム領域のＴＯＣエリア及びバックアップ領域のＴＯＣエリアに基づいてＴＯＣエリアの再生を行ってステップＳＴ１５において更新処理を行うことでＴＯＣエリアの更新処理を行ってステップＳＴ１６に進む。なお、この更新処理は、後述する。
【０１２６】
ステップＳＴ１６では、上述のステップＳＴ１２における更新処理で更新されたルートエリアの分割位置情報に基づいてシステム領域及びバックアップ領域の欠陥リストエリアの再生を行ってステップＳＴ１７に進む。
【０１２７】
ステップＳＴ１７では、後述の図１２で示して説明する更新処理を行うことで欠陥リストエリアの更新処理を行って起動動作を終了し、待機状態とする。
【０１２８】
つぎに、ステップＳＴ１２の更新処理について図１２を参照して説明する。この図１２は、ルートエリアの更新処理を示すフローチャートであり、先ず、ステップＳＴ２１において、リードイン領域における２つのルートエリアのＡＰcountと、バックアップ領域における２つのルートエリアのＡＰcountとを比較して、ステップＳＴ２２に進む。
ステップＳＴ２２では、リードイン領域におけるルートエリアのＡＰcountと、バックアップ領域におけるルートエリアのＡＰcountとの計４つのルートエリアのＡＰcountのうち、差が３以上のものを無視して、ステップＳＴ２３に進む。すなわち、このステップＳＴ２２では、４つのＡＰcountを比較し、いずれかのＡＰcountが他のＡＰcountよりも３以上の差があるときには、当該ＡＰcountを排除する。
【０１２９】
ステップＳＴ２３では、リードイン領域におけるＡＰcountがバックアップ領域におけるＡＰcountよりも大きいか否かを判断して、大きいと判断したときにはステップＳＴ２４に進み、小さいと判断したときにはステップＳＴ２５に進む。すなわち、このステップＳＴ２３では、複数のルートエリアのＡＰcountのうち、最も大きいＡＰcountを有するルートエリアを選択する。
【０１３０】
ステップＳＴ２４では、上述のステップＳＴ２３で選択された大きい方のＡＰcountをＲＡＭ１０内の他の領域に記録してステップＳＴ２５に進む。
【０１３１】
ステップＳＴ２５では、ＲＡＭ１０に更新したデータを１つ残して他をクリアして、ルートエリアにおける更新処理を終了し、上述のステップＳＴ１３に進む。
【０１３２】
つぎに、ステップＳＴ１５及びステップＳＴ１７の更新処理について図１３を参照して説明する。この図１３は、ＴＯＣエリア及び欠陥リストエリアについての更新処理を示すフローチャートであり、上述の図１２に示す更新処理とほぼ同様の処理を行う。すなわち、ステップＳＴ３１では、ステップＳＴ１４で再生された第１のシステム領域におけるＴＯＣエリア又は欠陥リストエリアのＡＰcountとバックアップ領域におけるＴＯＣエリア又は欠陥リストエリアのＡＰcountとを比較して、ステップＳＴ３２に進む。
【０１３３】
ステップＳＴ３２においては、上述のステップＳＴ２３と同様の処理を行う。すなわち、第１のシステムエリアに格納されたＡＰcountとバックアップ領域に格納されたＡＰcountとを比較して、第１のシステムエリアに格納されたＡＰcountがバックアップ領域に格納されたＡＰcountよりも大きいときにはステップＳＴ３３に進み、小さいときにはステップＳＴ３４に進む。
【０１３４】
ステップＳＴ３３においては、上述のステップＳＴ３２でＡＰcountが大きいと判断されたＴＯＣエリアの情報または欠陥リストエリアの情報をＲＡＭ１０に格納しておく。一方、ステップＳＴ３４では、上述のステップＳＴ３２でＡＰcountが小さいと判断されたＴＯＣエリアの情報または欠陥リストエリアの情報をＲＡＭ１０から消去する。この結果、ＲＡＭ１０には、ＴＯＣエリア又は欠陥リストエリアの情報が１つだけ格納されることとなる。
【０１３５】
このように起動時にリードイン領域、システム領域及びバックアップ領域に格納されるデータの更新を行うことでこれらの領域における信頼性を保持する。
【０１３６】
つぎに、情報記録再生装置１でＨＤＤ７内の記録媒体に記録されたＡＶデータを再生するときには、図１４に示すように、先ず、ステップＳＴ４１においてＣＰＵ９に例えばユーザから操作入力信号が供給される。そして、ＣＰＵ９は、この操作入力信号に応じて再生するのＡＶデータ種類を解釈してステップＳＴ４２に進む。このＡＶデータの種類としては、例えばユーザデータ領域に格納されている画像の内容等を示す。
【０１３７】
ステップＳＴ４２では、起動動作で獲得したルートエリアに格納されている情報から上述のステップＳＴ４１で獲得したＡＶデータの種類に応じてＴＯＣエリアを再生し、操作入力信号に応じて再生する内容の管理情報を選択してステップＳＴ４３に進む。
【０１３８】
ステップＳＴ４３では、ＣＰＵ９で上述のステップＳＴ４２で選択して得たＴＯＣエリアの管理情報から再生する内容を示すＡＶデータの開始ＬＢＡ及びこの開始ＬＢＡから連鎖して再生されるＬＢＡを獲得して、ステップＳＴ４４に進む。
【０１３９】
ステップＳＴ４４では、上述のステップＳＴ４２で選択して得たＴＯＣエリアの管理情報から記録モードを獲得してステップＳＴ４５に進む。この記録モードとしては、例えば、圧縮方式及び当該圧縮方式での圧縮レート等の情報がある。
【０１４０】
ステップＳＴ４５において、上述のステップＳＴ４４で獲得した記録モードに応じてＣＰＵ９では、記録モードに応じた長さ、間隔でＡＴＡ再生コマンドをＡＴＡアダプタ８に供給して、再生を開始しステップＳＴ４６に進む。このとき、ＡＴＡアダプタ８は、ＣＰＵ９からの再生コマンドに応じてＨＤＤ７に格納されているＡＶデータを再生し、再生したＡＶデータをホストバス５，インターフェイスバッファ６を介してマルチプレクサ１９に入力する。そして、このマルチプレクサ１９では、入力されたＡＶデータに分割処理を施してビデオデータとオーディオデータとして再生を行う。
【０１４１】
ステップＳＴ４６において、ＣＰＵ９では、操作入力信号に応じた情報のすべてを再生したか否かを判断し、操作入力信号に応じたＡＶデータを再生していないと判断したときにはステップＳＴ４５に再び進み、操作入力信号に応じたＡＶデータを再生したと判断したときには再生処理を終了して待機状態となる。
【０１４２】
つぎに、情報記録再生装置１でＨＤＤ７内の記録媒体にＡＶデータを記録するときには、図１５に示すように、先ず、ステップＳＴ５１においてＣＰＵ９に例えばユーザから操作入力信号が供給される。そして、ＣＰＵ９は、この操作入力信号に応じて記録するＡＶデータの種類、記録モードを解釈してステップＳＴ５２に進む。このＡＶデータの種類としては、例えば画像の内容等がある。この記録モードとしては、例えば、圧縮方式及び当該圧縮方式での圧縮レート等の情報がある。
【０１４３】
ステップＳＴ５２において、ＣＰＵ９では、起動動作で獲得したルートエリアに格納されている情報から上述のステップＳＴ５１で獲得したＡＶデータの種類に応じてＴＯＣエリアを再生し、操作入力信号に応じて記録する内容に応じて管理情報を選択してステップＳＴ５３に進む。
【０１４４】
ステップＳＴ５３において、ＣＰＵ９では、上述のステップＳＴ５２で選択して得たＴＯＣエリアの管理情報から記録開始ＬＢＡを獲得して、ステップＳＴ５４に進む。
【０１４５】
ステップＳＴ５４において、ＣＰＵ９では、上述のステップＳＴ５１で得た記録モードに応じたＡＴＡ記録コマンドを生成出力して、ステップＳＴ５５に進む。
【０１４６】
このとき、ＡＴＡアダプタ８は、ＣＰＵ９からＡＴＡ記録コマンドが供給されるとともに、マルチプレクサ１９から記録されるＡＶデータが供給されることとなる。そして、ＡＴＡアダプタ８は、ＨＤＤ７にＡＴＡ記録コマンドに応じた信号及びＡＶデータを出力する。
【０１４７】
また、ＣＰＵ１９は、ステップＳＴ５１で得た記録モードに応じてＭＰＥＧ２エンコーダ１８により情報信号を圧縮するときの圧縮レートを制御する制御信号を生成し、ホストバス５，インターフェイスバッファ６，マルチプレクサ１９を介してＭＰＥＧ２エンコーダ１９に供給してもよい。
【０１４８】
ステップＳＴ５５において、ＣＰＵ９は、上述のステップＳＴ５４でＨＤＤ７の記録媒体のユーザデータ領域に新たに記録した内容に応じてＲＡＭ１０に格納されているファイルシステム４０の更新を行う。すなわち、このステップＳＴ５５においては、ユーザデータ領域に記録したＡＶデータが示す内容、この内容を記録したときの記録モード、記録開始ＬＢＡ及び記録終了ＬＢＡ等が記述されるＴＯＣエリアの更新がなされてステップＳＴ５６に進む。
【０１４９】
ステップＳＴ５６において、ＣＰＵ９では、マルチプレクサ１９から供給されるＡＶデータのすべてをＨＤＤ７の記録媒体に記録したか否かを判断し、記録していないと判断したときには再びステップＳＴ４４に戻って残りのＡＶデータの記録を行い、すべてのＡＶデータの記録を行ったと判断したときにはステップＳＴ５７に進む。
【０１５０】
ステップＳＴ５７において、ＣＰＵ９では、ステップＳＴ５５においてＴＯＣエリアの内容を更新したので、ＲＡＭ１０に格納されたＴＯＣエリアに格納されているＡＰcountをインクリメントしてステップＳＴ５８に進む。
【０１５１】
ステップＳＴ５８において、ＣＰＵ９では、ＲＡＭ１０内に格納されているＴＯＣエリアの情報をＨＤＤ７のシステム領域におけるＴＯＣエリアに記録してステップＳＴ５９に進む。
【０１５２】
ステップＳＴ５９において、ＣＰＵ９では、上述のステップＳＴ５８において記録されたシステム領域におけるＴＯＣエリアの情報をバックアップ領域のけるＴＯＣエリアにそのまま記録して記録動作を終了し、待機動作となる。
【０１５３】
従って、このような記録処理によれば、ユーザデータ領域にＡＶデータを記録するとともに、このＡＶデータを記録することにより変化するＴＯＣエリアの情報をＲＡＭ１０に記録するとともに、システム領域及びバックアップ領域におけるＴＯＣエリアに記録する。
【０１５４】
なお、上述した情報記録再生装置１においては、ＡＶデータの記録と再生とを同時に行ってもよい。すなわち、この情報記録再生装置１では、例えばＡＶデータエリアと、メモデータエリアとを設定して記録及び／又は再生を行うときには、ＡＶデータエリアに記録されたＡＶデータを再生しながらＡＶデータエリア及びメモデータエリアにＡＶデータを記録してもよい。また、この情報記録再生装置１においては、ＡＶデータエリアに記録されたＡＶデータを再生しながらＡＶデータエリアにＡＶデータを記録しても良く、メモデータエリアにＡＶデータを記録してもよい。また、この情報記録再生装置１においては、メモデータエリアに記録されたＡＶデータを再生しながら、例えばＡＶデータエリア及びメモデータエリアにＡＶデータを記録してもよく、ＡＶデータエリアのみにＡＶデータを記録してもよく、さらには、メモデータエリアのみにＡＶデータを記録してもよい。すなわち、情報記録再生装置１においては、例えばユーザからの操作入力信号に応じて複数のメモデータエリアを設定して良く、ＡＶデータエリア及びメモデータエリアを任意に記録及び再生動作とすることができる。
【０１５５】
【発明の効果】
以上詳細に説明したように、本発明に係る情報記録装置及び情報記録方法は、ユーザデータ領域の各データエリアに上記情報信号を記録する記録頻度を制御して、受信手段により受信されている情報信号を、データエリア毎に先頭の論理アドレスの論理ブロックから連続して記録し、ユーザデータ領域における全ての論理ブロックに情報信号が記録されたとき、再び先頭の論理アドレスの論理ブロックから情報信号をオーバライト記録することで、データエリア間で記録寿命を異なるようにする。よって、本発明に係る情報記録装置及び情報記録方法は、データエリア間で記録寿命を異なるようにして、データエリア毎に時間的に連続してデータを記録することができる。したがって、この情報記録装置及び情報記録方法によれば、記録されたデータの連続性が保証され、記録されたデータのフラグメンテーション（断片化）が生ずるようなことがない。また、この情報記録装置及び情報記録方法によれば、データのフラグメンテーションが生じないのでデータのオーバーヘッドを少なくすることができ、再生時における連続データ転送レートを向上させることができる。
【図面の簡単な説明】
【図１】本発明を適用した情報記録再生装置の一例を示す構成図である。
【図２】ＲＯＭに格納されるファイルシステムを示す構成図である。
【図３】ファイルシステムのルートエリアの内容を説明するための構成図である。
【図４】ファイルシステムのＴＯＣエリアの内容を説明するための構成図である。
【図５】ファイルシステムの欠陥リストエリアの内容を説明するための構成図である。
【図６】ユーザデータ領域に格納されるＡＶクラスタの一例を示す構成図である。
【図７】各記録モードにおけるＡＶクラスタの容量を説明するための構成図である。
【図８】ＡＶクラスタに格納されるオーディオデータを説明するための構成図である。
【図９】オーディオデータに格納される静止画像クラスタを説明するための構成図である。
【図１０】２台のＨＤＤを備えた情報記録再生装置において、ＡＶデータエリア、メモデータエリアの容量を２倍として記録再生を行うことを説明するための概念図である。
【図１１】本実施の形態に係る情報記録再生装置が起動されたときに行う処理について説明するためのフローチャートである。
【図１２】本実施の形態に係る情報記録再生装置が起動されたときに行う処理において、ルートエリアを更新する更新処理ついて説明するためのフローチャートである。
【図１３】本実施の形態に係る情報記録再生装置が起動されたときに行う処理において、ＴＯＣエリア及び欠陥リストエリアを更新する更新処理ついて説明するためのフローチャートである。
【図１４】本実施の形態に係る情報記録再生装置によりＡＶデータを再生するときの処理について説明するためのフローチャートである。
【図１５】本実施の形態に係る情報記録再生装置によりＡＶデータを記録するときの処理について説明するためのフローチャートである。
【符号の説明】
１  情報記録再生装置、７  ＨＤＤ、９  ＣＰＵ、１０  ＲＡＭ、１１  ＲＯＭ、４０  ファイルシステム
【図１】
0004228407.tif 000002
【図２】
0004228407.tif 000003
【図３】
0004228407.tif 000004
【図４】
0004228407.tif 000005
【図５】
0004228407.tif 000006
【図６】
0004228407.tif 000007
【図７】
0004228407.tif 000008
【図８】
0004228407.tif 000009
【図９】
0004228407.tif 000010
【図１０】
0004228407.tif 000011
【図１１】
0004228407.tif 000012
【図１２】
0004228407.tif 000013
【図１３】
0004228407.tif 000014
【図１４】
0004228407.tif 000015
【図１５】
0004228407.tif 000016